(57)【要約】      （修正有）【課題】製図などで使用される自在定規について、自在に形状を変えられるという特徴を定規以外の目的でも活用できるフリースタンドを提供する。【解決手段】不使用時には、蚊取り線香のような渦巻状に平らにまとめることができ、使用時には、中心部を引き上げ、螺旋状などある程度自在に形状を造り、フリースタンドの大小や受け皿を置くことにより、軽量な植木鉢のスタンドや傘立て・ペン立て等に使用可能であり、その他、物を掛けるなど自由な発想で使用できる。また、その棒状物の中心に空洞を造り、渦巻状の中心部に照明器具を付け空洞を利用し外周の先に配線を通し、中心部を引き上げれば自在な照明スタンドにもなる。【選択図】図１
0003150596.tif 000002
【実用新案登録請求の範囲】
【請求項１】
フリースタンドの外周側から、中心部にある重金属または重金属的重量物からなる棒状物の質量を変化させることにより、中心部を引き上げた際、スタンドとしての安定を持ち、棒状物の周囲をゴムや軟質プラスチック等で被覆することにより、柔軟性のあるスタンドになる。使用時には、中心部を引き上げ、螺旋状などある程度自在に形状を造り、フリースタンドの大小や受け皿を置くことにより、軽量な植木鉢のスタンドや傘立て・ペン立て等に使用可能であり、その他、物を掛けるなど自由な発想で使用できる。また、棒状物の中心に空洞を造り、渦巻状の中心部に照明器具を付け空洞を利用し外周の先に配線を通し、中心部を引き上げればフレキシブルな照明スタンドにもなる。不使用時には、蚊取り線香のような渦巻状に平らにまとめることができる。
【考案の詳細な説明】
【技術分野】
【０００１】
本考案は、自在定規の特徴を活かしたスタンドに関するものである。
【背景技術】
【０００２】
自在定規中心部の重金属は一定質量であるため、自在に形状を変化させることはできるが、スタンドとしてそのまま使用するには安定性に欠ける。
【特許文献１】特開２００５−７７６８号公報
【考案の開示】
【考案が解決しようとする課題】
【０００３】
製図などで使用される自在定規について、自在に形状を変えられるという特徴を定規以外の目的で活用すること。
【課題を解決するための手段】
【０００４】
本考案は、自在に形状を変えるため棒状物の周囲をゴムや軟質プラスチック等で被覆し、外周側から、中心部にある重金属または重金属的重量物からなる棒状物の質量を変化させることにより、スタンドとしての安定を持つ。
【考案の効果】
【０００５】
本考案は、不使用時には、蚊取り線香のような渦巻状に平らにまとめることができ、使用時には、中心部を引き上げ、螺旋状などある程度自在に形状を造り、フリースタンドの大小や受け皿を置くことにより、軽量な植木鉢のスタンドや傘立て・ペン立て等に使用可能であり、その他、物を掛けるなど自由な発想で使用できる。また、その棒状物の中心に空洞を造り、渦巻状の中心部に照明器具を付け空洞を利用し外周の先に配線を通し、中心部を引き上げれば自在な照明スタンドにもなる。
【実施例１】
【０００６】
図２は、本考案の使用前（不使用時）の平らにまとめた図であり、使用時には図１の本考案の一例である植木鉢を渦巻状の中心部１を引き上げ螺旋に巻き込むことにより、高さの調整や鉢の大きさに対応できる。中心部１から外周の先２に向かい棒状重量物の質量を大きくすることで、外周を１周以上残し、渦巻状の中心部を引き上げればスタンドとして安定する。
【実施例２】
【０００７】
図１の実施例で、小さなフリースタンドの場合、植木鉢部分にペンなどを差し込めばペン立てになり、大きなフリースタンドならば、下に受け皿を置けば傘立てにも使用できる。
【実施例３】
【０００８】
図１の実施例で、中心部１を引き上げただけの状態（植木鉢の無い状態）や形状を造ることにより、物を掛けたり置いたり装飾の部品としても使用できる。
【実施例４】
【０００９】
図１の実施例で、棒状物の中心に空洞を造り、渦巻状の中心部１に照明器具を付け空洞を利用し外周の先２の外に配線を通し、中心部を引き上げればフレキシブルな照明スタンドにもなる。
【産業上の利用可能性】
【００１０】
不使用時には、蚊取り線香のような渦巻状に平らにまとめることができ、使用時には、中心部を引き上げ、螺旋状などある程度自在に形状を造り、フリースタンドの大小や受け皿を置くことにより、軽量な植木鉢のスタンドや傘立て・ペン立て等に使用可能であり、その他、物を掛けるなど自由な発想で使用できる。また、その棒状物の中心に空洞を造り、渦巻状の中心部に照明器具を付け空洞を利用し外周の先に配線を通し、中心部を引き上げれば自在な照明スタンドにもなる。
【図面の簡単な説明】
【００１１】
【図１】本考案の一例である植木鉢のスタンドを示す斜視図である。
【図２】不使用時に平らにまとめた状態を真上から見た図である。
【図３】図２を真横から見た図である。
【図４】図２において、中心部にある重金属または重金属的重量物からなる棒状物の質量を変化させた内部を示す図である。
【図５】図２および図４において、切断面５−６を示す図である。
【符号の説明】
【００１２】
１    平らにまとめた場合の渦巻状の中心部
２    平らにまとめた場合の渦巻状の外周の先
３    真上から見た図２と真横から見た図３の位置を示す（この例では左）
４    真上から見た図２と真横から見た図３の位置を示す（この例では右）
５    切断面の外側
６    切断面の内側
７    一例である植木鉢
【図１】
0003150596.tif 000003
【図２】
0003150596.tif 000004
【図３】
0003150596.tif 000005
【図４】
0003150596.tif 000006
【図５】
0003150596.tif 000007
【手続補正書】
【提出日】平成21年2月8日(2009.2.8)
【手続補正１】
【補正対象書類名】実用新案登録請求の範囲
【補正対象項目名】全文
【補正方法】変更
【補正の内容】
【実用新案登録請求の範囲】
【請求項１】
外周側から、中心部にある重金属または重金属的重量物からなる棒状物の質量を変化させることにより、中心部を引き上げた際、スタンドとしての安定を持ち、棒状物の周囲をゴムや軟質プラスチック等で被覆することにより柔軟性を持ち、使用時には、中心部を引き上げ、螺旋状などある程度自在に形状を造り、本考案の大きさや受け皿を置くことにより、軽量な植木鉢のスタンドや傘立て・ペン立て等に使用可能であり、その他、物を掛けるなど自由な発想で使用でき、不使用時には、蚊取り線香のような渦巻状に平らにまとめることができるフリースタンド。
【請求項２】
中心部にある重金属または重金属的重量物からなる棒状物の中心に空洞を造り、渦巻状の中心部に照明器具を付け空洞を利用し外周の先に配線を通し、中心部を引き上げればフレキシブルな照明スタンドにもなり、不使用時には、蚊取り線香のような渦巻状にまとめることができるフリースタンド。
【手続補正２】
【補正対象書類名】明細書
【補正対象項目名】０００９
【補正方法】変更
【補正の内容】
【０００９】
図１の実施例で、棒状物の中心に空洞を造り、渦巻状の中心部１に照明器具を付け空洞を利用し外周の先２の外に配線を通し、中心部を引き上げればフレキシブルな照明スタンド（図６）になる。
【手続補正３】
【補正対象書類名】明細書
【補正対象項目名】００１１
【補正方法】変更
【補正の内容】
【００１１】
【図１】本考案の一例である植木鉢のスタンドを示す斜視図である。
【図２】不使用時に平らにまとめた状態を真上から見た図である。
【図３】図２を真横から見た図である。
【図４】図２において、中心部にある重金属または重金属的重量物からなる棒状物の質量を変化させた内部を示す図である。
【図５】図２および図４において、切断面５−６を示す図である。
【図６】本考案の一例である照明スタンドを示す斜視図である。
【手続補正４】
【補正対象書類名】明細書
【補正対象項目名】００１２
【補正方法】変更
【補正の内容】
【００１２】
１    平らにまとめた場合の渦巻状の中心部
２    平らにまとめた場合の渦巻状の外周の先
３    真上から見た図２と真横から見た図３の位置を示す（この例では左）
４    真上から見た図２と真横から見た図３の位置を示す（この例では右）
５    切断面の外側
６    切断面の内側
７    一例である植木鉢
８.   重金属または重金属的重量物
９.   ゴムや軟質プラスチック等
１０.   コード
１１.   プラグ
１２.   照明
【手続補正５】
【補正対象書類名】図面
【補正対象項目名】図６
【補正方法】追加
【補正の内容】
【図６】
0003150596.tif 000008
【手続補正書】
【提出日】平成21年3月8日(2009.3.8)
【手続補正１】
【補正対象書類名】実用新案登録請求の範囲
【補正対象項目名】全文
【補正方法】変更
【補正の内容】
【実用新案登録請求の範囲】
【請求項１】
渦巻状外側でスタンドにした場合の底にあたる部分の内部構造中心にある鉄等の重金属からなる棒状部分の質量を、渦巻状内側でスタンドにした場合の引き上げる部分の内部構造中心にある鉄等の重金属からなる棒状部分の質量より大きくすることにより、中心部を引き上げた際、スタンドとしての安定を持ち、棒状物の周囲をゴムや軟質プラスチック等で被覆することにより柔軟性を持ち、使用時には、中心部を引き上げ、螺旋状などある程度自在に形状を造り、軽量な植木鉢のスタンド等に使用可能であり、その他、物を掛けるなど自由な発想で使用でき、不使用時には、蚊取り線香のような渦巻状に平らにまとめることができるフリースタンド。
【請求項２】
中心部にある鉄等の重金属からなる棒状物の中心に空洞を造り、渦巻状の中心部に照明器具を付け空洞を利用し外周の先に配線を通し、中心部を引き上げればフレキシブルな照明スタンドにもなり、不使用時には、蚊取り線香のような渦巻状にまとめることができるフリースタンド。
【手続補正２】
【補正対象書類名】明細書
【補正対象項目名】００１１
【補正方法】変更
【補正の内容】
【００１１】
【図１】本考案の一例である植木鉢のスタンドを示す斜視図である。
【図２】不使用時に平らにまとめた状態を真上から見た図である。
【図３】図２を真横から見た図である。
【図４】図２において、内部構造中心部にある鉄等の重金属からなる棒状物を示す図である。
【図５】図２および図４において、切断面５−６を示す図である。
【図６】本考案の一例である照明スタンドを示す斜視図である。
【手続補正３】
【補正対象書類名】明細書
【補正対象項目名】００１２
【補正方法】変更
【補正の内容】
【００１２】
１    平らにまとめた場合の渦巻状の中心部
２    平らにまとめた場合の渦巻状の外周の先
３    真上から見た図２と真横から見た図３の位置を示す（この例では左）
４    真上から見た図２と真横から見た図３の位置を示す（この例では右）
５    切断面の外側
６    切断面の内側
７    一例である植木鉢
８.   中心部（コードを通す部分）を空洞にした鉄等の重金属からなる棒状物
９.   ゴムや軟質プラスチック等
１０.   コード
１１.   プラグ
１２.   照明